(57)【要約】      （修正有）【課題】ボールペンを反転させるだけの極めて簡単かつ迅速な作業で、異なる色のインクを使い分けて書くことができる二色ボールペンを提供する。【解決手段】二色ボールペン１０のホルダー１２は断面矩形状に形成されている。ホルダー１２にはボールペン本体収容部が形成され、第１ボールペン本体１６と第２ボールペン本体１８が収容されている。この第１ボールペン本体１６の第１管体２０には黒色インクが充填され、第２ボールペン本体１８の第２管体２６には赤色インクが充填されている。第１ボールペン本体１６と第２ボールペン本体１８は共にボール保持体２２とボール２４がホルダー１２の開口部２８から突出してボールペン本体収容部１４に収容されている。第１ボールペン本体１６と第２ボールペン本体１８の間にはボールペン本体固定体３０がボールペン本体収容部に嵌入されている。【選択図】図１
0003160448.tif 000002
【実用新案登録請求の範囲】
【請求項１】
断面矩形状に形成されたホルダーと、このホルダーの長手方向に沿って形成されたボールペン本体収容部と、このボールペン本体収容部に収容されると共に第１インクが充填された第１ボールペン本体と、前記ボールペン本体収容部に収容されると共に第２インクが充填された第２ボールペン本体と、前記ホルダーの先端面に形成されると共に前記ボールペン本体収容部に収容された前記第１ボールペン本体及び前記第２ボールペン本体の先端部が突出する開口部と、前記第１ボールペン本体と前記第２ボールペン本体の間に配設されると共に前記ボールペン本体収容部に嵌入されて前記第１ボールペン本体、前記第２ボールペン本体を固定するボールペン本体固定体と、を有してなることを特徴とする二色ボールペン。
【請求項２】
断面矩形状に形成されたホルダーと、このホルダーの長手方向に沿って形成されたボールペン本体収容部と、このボールペン本体収容部に収容されると共に第１インクが充填された第１ボールペン本体と、前記ボールペン本体収容部に収容されると共に第２インクが充填された第２ボールペン本体と、前記ホルダーの先端面に形成されると共に前記ボールペン本体収容部に収容された前記第１ボールペン本体及び前記第２ボールペン本体の先端部が突出する開口部と、前記第１ボールペン本体と前記第２ボールペン本体の間に配設されると共に前記ボールペン本体収容部に嵌入されて前記第１ボールペン本体、前記第２ボールペン本体を固定するボールペン本体固定体と、前記ホルダーに形成されると共に前記第１インクと同じ色で着色された第１着色部と、前記ホルダーに形成されると共に前記第２インクと同じ色で着色された第２着色部と、を有してなることを特徴とする二色ボールペン。
【請求項３】
前記第１ボールペン本体で書く場合は握った前記ホルダーの正面側に前記第１着色部が位置し、前記第２ボールペン本体で書く場合は握った前記ホルダーの正面側に前記第２着色部が位置することを特徴とする請求項２記載の二色ボールペン。
【考案の詳細な説明】
【技術分野】
【０００１】
本考案は、二色のインクを簡単に使い分けて使用することができる二色ボールペンに関する。
【背景技術】
【０００２】
筆記具としてボールペンは従来から広く知られ、広く使用されている。
このボールペンには円筒状のホルダーに異なる色のインクを充填したボールペン本体を複数収容してなるタイプのボールペンがある（特許文献１）。
このタイプのボールペンは１本所有していれば複数の色のインクを使い分けて添削をしたり文字等を書いたりすることができ、便利である。
しかし、前記タイプのボールペンはインクの色を使い分けする場合は、使いたい色のボールペン本体に連結されているボタンを押圧して使いたいインクのボールペン本体の先端部をホルダーの開口部から突出させる必要がある。
このため、頻繁にインクの色を使い分けて添削したり文字等を書いたりする場合は一々前記ボタンを押圧して使いたい色のインクのボールペン本体の先端部をホルダーの開口部から突出させる必要があり、煩雑である。
また、使いたいインク毎のボールペンをそれぞれ予め用意しておいてインクの色を変えて添削したり文字等を書いたりする場合はその都度使いたい色のボールペンを持ち替えて添削したり文字等を書いたりするようにすれば前記ボタンを押圧する作業は不要になるが、今度はインクの色を変えて添削したり文字等を書いたりする毎にボールペンを持ち替えなければならず煩雑である。
【先行技術文献】
【特許文献】
【０００３】
【特許文献１】特開平６−３１６１９５公報
【考案の概要】
【考案が解決しようとする課題】
【０００４】
本考案は、上記事実に鑑みなされたものであり、ボールペンを半回転させるだけの極めて簡単な作業で異なる色のインクを使い分けて添削したり文字等を書いたりすることができる二色ボールペンを提供するものである。
【課題を解決するための手段】
【０００５】
請求項１の考案は、断面矩形状に形成されたホルダーと、このホルダーの長手方向に沿って形成されたボールペン本体収容部と、このボールペン本体収容部に収容されると共に第１インクが充填された第１ボールペン本体と、前記ボールペン本体収容部に収容されると共に第２インクが充填された第２ボールペン本体と、前記ホルダーの先端面に形成されると共に前記ボールペン本体収容部に収容された前記第１ボールペン本体及び前記第２ボールペン本体の先端部が突出する開口部と、前記第１ボールペン本体と前記第２ボールペン本体の間に配設されると共に前記ボールペン本体収容部に嵌入されて前記第１ボールペン本体、前記第２ボールペン本体を固定するボールペン本体固定体と、を有してなることを特徴としている。
請求項２の考案は、断面矩形状に形成されたホルダーと、このホルダーの長手方向に沿って形成されたボールペン本体収容部と、このボールペン本体収容部に収容されると共に第１インクが充填された第１ボールペン本体と、前記ボールペン本体収容部に収容されると共に第２インクが充填された第２ボールペン本体と、前記ホルダーの先端面に形成されると共に前記ボールペン本体収容部に収容された前記第１ボールペン本体及び前記第２ボールペン本体の先端部が突出する開口部と、前記第１ボールペン本体と前記第２ボールペン本体の間に配設されると共に前記ボールペン本体収容部に嵌入されて前記第１ボールペン本体、前記第２ボールペン本体を固定するボールペン本体固定体と、前記ホルダーに形成されると共に前記第１インクと同じ色で着色された第１着色部と、前記ホルダーに形成されると共に前記第２インクと同じ色で着色された第２着色部と、を有してなることを特徴としている。
請求項３の考案は、前記第１ボールペン本体で書く場合は握った前記ホルダーの正面側に前記第１着色部が位置し、前記第２ボールペン本体で書く場合は握った前記ホルダーの正面側に前記第２着色部が位置することを特徴としている。
【考案の効果】
【０００６】
本考案の二色ボールペンは、握っているホルダーを反転させるだけの極めて簡単かつ迅速な作業で異なるインクで引き続き添削したり文字等を書いたりすることができるので、二色のインクで添削したり文字等を書いたりする場合も煩雑でないという優れた効果を有する。
本考案の二色ボールペンは、ホルダーが断面矩形状で形成されているので簡単かつ迅速に反転させることができるという優れた効果を有する。
本考案の二色ボールペンは、構造がシンプルであるのでインクが切れた場合は簡単に第１ボールペン本体、第２ボールペン本体又は第１管体、第２管体を交換することができるのでボールペンを新しく購入する必要がないため経済的である共に廃棄物の量を抑えることができるという優れた効果を有する。
本考案の二色ボールペンは、構造がシンプルであるので故障し難くいと共に販売価格を抑えることができるという優れた効果を有する。
さらに、請求項３の二色ボールペンは、上記効果の他に握っているホルダーの正面側に位置する着色部の色を見るだけで一見して添削したり文字等を書いているインクの色を知ることができるという優れた効果を有する。
【図面の簡単な説明】
【０００７】
【図１】実施例の二色ボールペンの一部拡大斜視図である。
【図２】実施例の二色ボールペンの一部断面図である。
【図３】実施例の二色ボールペンを使用している状態の側面図である。
【図４】他の実施例の二色ボールペンを使用している状態の側面図である。
【考案を実施するための形態】
【０００８】
考案を実施するために最良の形態の例として以下のような実施例を示す。
【実施例１】
【０００９】
図１〜図３には本考案に係る二色ボールペンの一実施例が示されている。
図１に示されるように、二色ボールペン１０のホルダー１２はプラスチック等の合成樹脂材で断面視矩形状で扁平状に形成されている。このホルダー１２には第１面部１２Ａ、第２面部１２Ｂ、第１側面部１２Ｃ、第２側面部１２Ｄが形成されている。
図２に示されるように、前記ホルダー１２には有底のボールペン本体収容部１４がホルダー１２の長手方向に沿って形成されている。
このボールペン本体収容部１４には第１ボールペン本体１６と第２ボールペン本体１８が並んで収容されている。この第１ボールペン本体１６は第１管体２０と、この第１管体２０の先端部に設けられたボール支持体２２と、このボール支持体２２の先端部に回転可能に支持されたボール２４から構成されている。また、前記第２ボールペン本体１８は第２管体２６と、この第２管体２６の先端部に設けられたボール支持体２２と、このボール支持体２２の先端部に回転可能に支持されたボール２４から構成されている。この実施例では前記第１ボールペン本体１６の第１管体２０には第１インクとしての黒色インクが充填され、前記第２ボールペン本体１８の第２管体２６には第２インクとしての赤色インクが充填されている。
前記第１ボールペン本体１６と第２ボールペン本体１８は共にボール保持体２２とボール２４が前記ホルダー１２の先端面に形成された開口部２８から突出するように前記ボールペン本体収容部１４に収容されている。
図１に示されるように、前記ボールペン本体収容部１４の高さ寸法Ｈは前記第１管体２０、第２管体２６の直径寸法より僅かに大きく設定されている。
従って、ボールペン本体収容部１４に第１ボールペン本体１６、第２ボールペン本体１８を収容した場合に第１管体２０、第２管体２６がボールペン本体収容部１４の高さ寸法Ｈ方向にガタつかないでフィットした状態で収容されるようになっている。
図２に示されるように、前記第１ボールペン本体１６と前記第２ボールペン本体１８の間には弾性体で形成されたボールペン本体固定体３０が配設され、ボールペン本体固定体３０はボールペン本体収容部１４に嵌入されている。このボールペン本体固定体３０を前記第１管体２０と前記第２管体２６の間に嵌入することにより、図１に示されるように前記第１管体２０はホルダー１２の第２側面部１２Ｄとボールペン本体固定体３０に挟まれ、前記第２管体２６はホルダー１２の第１側面部１２Ｃとボールペン本体固定体３０に挟まれて固定されるようになっている。
図２に示されるように、前記ボールペン本体収容部１４の底部１４Ａには管体密着防止体としての管体密着防止紙片３２が収容されている。この管体密着防止紙片３２は紙片で形成されている。前記ボールペン本体収容部１４の底部１４Ａに管体密着防止紙片３２を配設することにより第１管体２０の開口面２０Ａと第２管体２６の開口面２６Ａがボールペン本体収容部１４の底部１４Ａに密着するのを防いで、第１ボールペン本体１６及び第２ボールペン本体１８のインクの出が悪くなるのを防止している。
図１に示されるように、前記ホルダー１２の第１面部１２Ａの全面、第１側面部１２Ｃの第１面部１２Ａ側の半分面、第２側面部１２Ｄの第１面部１２Ａ側の半分面は第１ボールペン本体１６に充填されている黒色インクと同じ黒色が着色された第１着色部としての黒色着色部３４とされている。また、前記ホルダー１２の第２面部１２Ｂの全面、第１側面部１２Ｃの第２面部１２Ｂ側の半分面、第２側面部１２Ｄの第２面部１２Ｂ側の半分面は第２ボールペン本体１８に充填されている赤色インクと同じ赤色が着色された第２着色部としての赤色着色部３６とされている。
従って、図３に示されるように、前記二色ボールペン１０のホルダー１２を右手１で握って黒色インクが充填されている第１ボールペン本体１６で書く場合はホルダー１２の正面側（図３紙面手前側）には黒色着色部３４が位置する。また、赤色インクが充填されている第２ボールペン本体１８で書く場合はホルダー１２の正面側には赤色着色部３６が位置する。
このため、使用者は右手１で握っているホルダー１２の正面側を見ることにより書いているインクの色を一見して知ることができ便利である。
【００１０】
次に、実施例の二色ボールペン１０の作用を添削する場合に基づいて説明する。
二色ボールペン１０を使用する場合は図３に示すように第１ボールペン本体１６が下、第２ボールペン本体１８が上、に位置するようにして右手１でホルダー１２を握ると共に二色ボールペン１０を紙面２に対して傾斜させた状態にする。
この状態で黒色インクで添削をしていて途中で赤色インクで添削をする場合は右手１で前記ホルダー１２を握ったまま親指３と人差し指４を利用して握っているホルダー１２を１８０°反転させると赤色インクが充填されている第２ボールペン本体１８が下になるので、赤色インクでそのまま添削することができる。しかも、前記ホルダー１２は断面矩形状に形成されているので、簡単かつ迅速にホルダー１２を反転させることができる。
従って、二色ボールペン１０の使用者は右手１の親指３と人差し指４を利用してホルダー１２を反転させるという極めて簡単かつ迅速な作業で黒色インクと赤色インクで添削することができる。
この結果、従来のボールペンのようにボールペン本体に連結しているボタンを押圧したり、あるいはインクの色毎のボールペンを用意した上でボールペンを持ち替える等の煩雑な作業をしなくてもよい。
なお、インク切れ等により前記第１ボールペン本体１６、第２ボールペン本体１８をホルダー１２から取り外したい場合は、前記ボールペン本体固定体３０の先端部を摘んで引っ張ってボールペン本体収容部１４から取り外せば容易に第１ボールペン本体１６、第２ボールペン本体１８を容易に取り外すことができる。
また、第１ボールペン本体１６、第２ボールペン本体１８を取り付ける場合は第１ボールペン本体１６、第２ボールペン本体１８をボールペン本体収容部１４に収容してから第１ボールペン本体１６と第２ボールペン本体１８の間にボールペン本体固定体３０を嵌入すれば簡単に第１ボールペン本体１６、第２ボールペン本体１８を容易に固定することができる。
このため、インク切れしても新しい第１ボールペン本体１６、第２ボールペン本体１８又は第１管体２０、第２管体２６のみを交換すればよいので、新しい二色ボールペン１０を購入する必要がないため経済的であると共に廃棄物を少なくすることができるので地球環境にも好ましい。
また、本考案の二色ボールペン１０は構造がシンプルであるので、販売価格を抑えて販売することができると共に故障し難く長期間に使用することができる。
また、前記ホルダー１２を上記のように第１着色部と第２着色部の二色で色分けすることにより一目で二色ボールペン１０に収容されている第１ボールペン本体１６及び第２ボールペン本体１８のインクの色を知ることができるので、二色ボールペン１０を購入する場合に購入者にとっても便利である。
【００１１】
なお、左利きの者が使用する二色ボールペン１０においては、ホルダー１２の第２面部１２Ｂの全面、第１側面部１２Ｃの第２面部１２Ｂ側の半分面、第２側面部１２Ｄの第２面部１２Ｂ側の半分面を黒色着色部３４とし、ホルダー１２の第１面部１２Ａの全面、第１側面部１２Ｃの第１面部１２Ａ側の半分面、第２側面部１２Ｄの第１面部１２Ａ側の半分面を赤色着色部３６にすれば左手（図示せず）で二色ボールペン１０を握って第１ボールペン本体１６で書く場合にホルダー１２の正面側に黒色着色部３４が位置し、第２ボールペン本体１８で書く場合はホルダー１２の正面側に赤色着色部３６が位置するので、使用者はホルダー１２の正面側を見ることにより書いているインクの色を一見して知ることができる。
【００１２】
なお、図４に示すように、ホルダー１２の幅方向（図４矢印Ｗ方向）を第１着色部としての黒色着色部３４と第２着色部としての赤色着色部３６で二分して黒色着色部３４側には黒色インクが充填されている第１ボールペン本体１６を取り付け、赤色着色部３６側には赤色インクが充填されている第２ボールペン本体１８を取り付けるようにしてもよい。
この場合、黒色着色部３４が下側に位置している場合は書いているインクは黒色であり、赤色着色部３６が下側に位置している場合は書いているインクは赤色であるため、右利き左利きという利き手に関係なくホルダー１２の下側に位置する色を見ることにより書いているインクの色を知ることができる。
また、図４に示すように、前記ホルダー１２にクリップ４０を設けるようにしてもよい。ホルダー１２にクリップ４０を設けることにより二色ボールペン１０を手帳やポケット等に着脱可能に取り付けることができる。
【００１３】
なお、実施例では第１インクを黒色インク、第２インクを赤色インクにしたが、第１インク、第２インクの色は黒色、赤色に限定されるものでなく、緑色、青色、ピンク色等でもよいことは勿論である。
また、実施例では管体密着防止体として管体密着防止紙片３２を設けたが、前記管体密着防止体は第１管体２０の開口面２０Ａと第２管体２６の開口面２６Ａがボールペン本体収容部１４の底部１４Ａと密着するのを防止するものであれば、形状や素材は限定されないことは勿論である。
なお、前記第１管体２０の開口面２０Ａと第２管体２６の開口面２６Ａがボールペン本体収容部１４の底部１４Ａと密着しない構造であれば、前記管体密着防止体を不要にしてもよい。
【産業上の利用可能性】
【００１４】
本考案の二色ボールペン１０は筆記具として色々な分野で使用することができる。
【符号の説明】
【００１５】
１０    二色ボールペン
１２    ホルダー
１４    ボールペン本体収容部
１４Ａ  底部
１６    第１ボールペン本体
１８    第２ボールペン本体
２０    第１管体
２０Ａ  開口面
２２    ボール保持体
２４    ボール
２６    第２管体
２６Ａ  開口面
２８    開口部
３０    ボールペン本体固定体
３２    管体密着防止紙片
３４    黒色着色部
３６    赤色着色部
【図１】
0003160448.tif 000003
【図２】
0003160448.tif 000004
【図３】
0003160448.tif 000005
【図４】
0003160448.tif 000006